(57)【要約】【課題】濾過途中の濾過材の目詰まりにも対応が可能な自動濾過装置を提供すること。【解決手段】濾過対象の濾過原液を収容する一つもしくは二つ以上の容器を備えた原液収容部と、前記濾過原液を濾過する濾過材と、前記原液収容部の容器と前記濾過材とを結ぶ原液流路と、前記濾過原液を前記原液流路を通じて前記濾過材へ送液する送液手段と、前記濾過材を通った濾液を収容する一つもしくは二つ以上の容器を備えた濾液収容部と、前記濾過材と前記濾液収容部の容器とを結ぶ濾液流路と、前記原液流路の途中に圧力センサとを備えてなる自動濾過装置であって、前記送液手段が、前記圧力センサの上流側に設けられるとともに、前記圧力センサが検知した圧力が、所定値以上となったときに、濾過材を交換する濾過材交換手段とを備えてなることを特徴とする自動濾過装置。【選択図】図１
2005292127.tif 000002
【特許請求の範囲】
【請求項１】
濾過対象の濾過原液を収容する一つもしくは二つ以上の容器を備えた原液収容部と、前記濾過原液を濾過する濾過材と、前記原液収容部の容器と前記濾過材とを結ぶ原液流路と、前記濾過原液を前記原液流路を通じて前記濾過材へ送液する送液手段と、前記濾過材を通った濾液を収容する一つもしくは二つ以上の容器を備えた濾液収容部と、前記濾過材と前記濾液収容部の容器とを結ぶ濾液流路と、前記原液流路の途中に圧力センサとを備えてなる自動濾過装置であって、前記送液手段が、前記圧力センサの上流側に設けられるとともに、前記圧力センサが検知した圧力が、所定値以上となったときに、濾過材を交換する濾過材交換手段とを備えてなることを特徴とする自動濾過装置。
【請求項２】
さらに、所定量の濾過原液が送液されたこともしくは所定量の濾過原液の濾過が終了したことを検知する検知手段が設けられ、前記検知手段が所定量の濾過原液が送液されたこともしくは所定量の濾過原液の濾過が終了したことを検知したときに、必要に応じて原液流路等の洗浄を行った後、前記濾過材交換手段により、濾過材を交換し、濾過原液が収容された新たな容器から濾過原液の送液を開始する請求項１に記載の自動濾過装置。
【請求項３】
濾液収容部の容器が、栓付き容器であり、前記栓には、濾液流路の前記容器側の末端が挿通可能な切込みが設けられてなる請求項１または２に記載の自動濾過装置。
【請求項４】
さらに、前記切込みから濾液が溢れ出たときに、溢れ出た濾液を吸引除去する吸引除去手段を備えてなる請求項３に記載の自動濾過装置。
【請求項５】
濾過対象の濾過原液が、土壌試料を抽出溶媒で抽出処理して得られる抽出液である請求項１または２に記載の自動濾過装置。
【発明の詳細な説明】
【技術分野】
【０００１】
本発明は自動濾過装置に関する。
【背景技術】
【０００２】
分析業務において、効率的に業務を遂行するために、それぞれの分析作業に要する時間をあらかじめ設定しておき、スケジューリングすることが行われているが、分析作業の種類によっては、あらかじめ設定しておいた作業時間内では作業が終了しないことがあり、スケジューリングどおりに作業を遂行できないという問題があった。
【０００３】
特に、濾過操作は、汎用的に行う操作の一つであるにもかかわらず、濾過すべき濾過原液によって、濾過途中で濾紙等の濾過材の目詰まりが起こり得ること、目詰まりが起こると濾過材を交換しなければならないこと、また、目詰まりが起こる頻度や間隔等も不規則であることから、濾過操作に要する時間を予測することは難しかった。そのため、濾過操作を含む分析作業の作業時間を設定することは難しく、濾過操作を含む分析作業のスケジューリングも困難であった。
【０００４】
土壌試料の分析作業を例に取ると、一般に、採取した土壌試料を、（１）風乾、（２）篩で分級、（３）所定量の計量、（４）抽出溶媒を加えて振とう、（５）遠心分離、（６）上澄み液を濾過、（７）得られる濾液を、例えば原子吸光法、ＩＣＰ発光分光分析法、ヘッドスペースガスクロマトグラフィー法等で分析する、という手順で行われている。前記（１）〜（５）の操作および（７）の操作はそれぞれ要する時間を予め設定することは可能であるが、（６）の濾過操作は、採取した土壌試料によって、上澄み液中に含まれる成分が異なるため、濾過時間はもちろんのこと、濾過材の目詰まりの有無等も異なるため、土壌試料の分析作業に要するトータルの時間を設定することは困難であった。
【０００５】
また、濾過材が目詰まりしているかどうかの判断は作業者の観察により行われているため、作業者がその場を離れることは難しく、また濾過材の目詰まり時の濾過材の交換等の煩雑な作業も手作業で行う必要があり、交換作業中の濾過原液のロスや濾液へのコンタミネーション等の虞があった。
【０００６】
そのため、濾過操作を含めた分析作業の効率的な遂行、分析作業時間のスケジューリング等の面からは、かかる目詰まりの有無の検知、目詰まり時の濾過材の交換を含めた濾過操作を自動的に行う装置が望まれていた。しかしながら、前記した土壌試料の分析作業の前処理装置を例に取ると、前記（１）〜（６）の操作を自動で行う装置は知られている（例えば特許文献１参照。）ものの、濾過材の目詰まりの有無を検知し、目詰まり時には濾過材を交換する操作は自動化されておらず、人手に頼る必要があった。
【０００７】
【特許文献１】特開平９−６１４２０号公報
【発明の開示】
【発明が解決しようとする課題】
【０００８】
このような状況のもと、本発明者らは、濾過途中の濾過材の目詰まりにも対応が可能な自動濾過装置を開発すべく鋭意検討したところ、濾過原液が通る原液流路の途中に、原液流路内の圧力を検知する圧力センサを設けるとともに、該圧力センサの値が所定値以上になると、濾過材が目詰まりを起こしていると判断して、濾過材を交換する濾過材交換手段を設けることにより、濾過途中の濾過材の目詰まりを自動的に検知し、濾過材の交換も自動で行うことができることを見出し、本発明に至った。
【課題を解決するための手段】
【０００９】
すなわち本発明は、
１．濾過対象の濾過原液を収容する一つもしくは二つ以上の容器を備えた原液収容部と、前記濾過原液を濾過する濾過材と、前記原液収容部の容器と前記濾過材とを結ぶ原液流路と、前記濾過原液を前記原液流路を通じて前記濾過材へ送液する送液手段と、前記濾過材を通った濾液を収容する一つもしくは二つ以上の容器を備えた濾液収容部と、前記濾過材と前記濾液収容部の容器とを結ぶ濾液流路と、前記原液流路の途中に圧力センサとを備えてなる自動濾過装置であって、前記送液手段が、前記圧力センサの上流側に設けられるとともに、前記圧力センサが検知した圧力が、所定値以上となったときに、濾過材を交換する濾過材交換手段とを備えてなることを特徴とする自動濾過装置；
２．さらに、所定量の濾過原液が送液されたこともしくは所定量の濾過原液の濾過が終了したことを検知する検知手段が設けられ、前記検知手段が所定量の濾過原液が送液されたこともしくは所定量の濾過原液の濾過が終了したことを検知したときに、必要に応じて原液流路等の洗浄を行った後、前記濾過材交換手段により、濾過材を交換し、濾過原液が収容された新たな容器から濾過原液の送液を開始する前項１に記載の自動濾過装置；
３．濾液収容部の容器が、栓付き容器であり、前記栓には、濾液流路の前記容器側の末端が挿通可能な切込みが設けられてなる前項１または２に記載の自動濾過装置；
４．さらに、前記切込みから濾液が溢れ出たときに、溢れ出た濾液を吸引除去する吸引除去手段を備えてなる前項３に記載の自動濾過装置；
５．濾過対象の濾過原液が、土壌試料を抽出溶媒で抽出処理して得られる抽出液である前項１または２に記載の自動濾過装置等を提供するものである。
【発明の効果】
【００１０】
本発明によれば、濾過途中での濾過材の目詰まりを圧力センサにより素早く検知でき、濾過材の目詰まり時には、濾過材を、素早く、自動的に交換することができるため、手作業によらず、効率的に濾過操作を行うことができる。しかも、送液する濾過原液の量により濾過操作に要する時間が予測できるようになるため、濾過操作を含む分析作業の所要時間が設定可能になり、スケジューリング等も容易となる。また、濾液収容部の容器として、濾液流路の前記容器側の末端が挿通可能な切込みが設けられた栓が付いた容器を用いることにより、外気に濾液が触れることなく、容器一杯に濾液を満たすことが可能となり、例えば濾過原液中に含まれる揮発性有機化合物の分析のための分析試料の調製もできる。しかも、前記切込みから溢れた濾液を吸引除去する吸引手段を備えた装置では、溢れ出た濾液で前記容器や濾液収容部等を汚すことを防ぐこともできる。
【発明を実施するための最良の形態】
【００１１】
以下、本発明の自動濾過装置について、図面を参照しながら説明する。
【００１２】
本発明の自動濾過装置の一つの実施態様を模式的に示した図を図１に示した。自動濾過装置１は、濾過対象の濾過原液を収容する一つもしくは二つ以上の容器２を備えた原液収容部３、前記濾過原液を濾過する濾過材４、前記原液収容部３の容器２と前記濾過材４とを結ぶ原液流路５、濾過原液を前記原液流路５を通じて前記濾過材４へ送液する送液手段６、濾液を収容する一つもしくは二つ以上の容器７を備えた濾液収容部８、前記濾過材４と前記濾液収容部８の容器７とを結ぶ濾液流路９、および前記原液流路５の途中に圧力センサ１０を備えてなる自動濾過装置であって、前記送液手段６が、圧力センサ１０の上流側に設けられるとともに、前記圧力センサ１０が検知した圧力が、所定値以上となったときに、濾過材４を交換する濾過材交換手段１１を備えている。
【００１３】
濾過対象の濾過原液としては、特に制限されないが、濾過材４の目詰まりが起こりやすい試料の場合には、本発明の自動濾過装置は好適に使用できる。かかる濾過材４の目詰まりが起こりやすい試料としては、例えば土壌試料を抽出溶媒で抽出処理して得られる抽出液等が挙げられる。
【００１４】
原液収容部３には、濾過対象の濾過原液を収容した容器２が備えられており、その容器の数は特に制限されず、濾過対象の濾過原液の種類や容器の容量等に応じて適宜決められる。容器２は、濾過原液に対して安定な材質で形成され、濾過原液を収容可能な容器であれば特に制限されない。また、異なる種類の濾過原液を濾過する場合には、濾過原液同士のコンタミネーション等を防ぐため、原液流路５等を洗浄する洗浄液を収容した容器を備えていてもよい。図１には、原液収容部３には、異なる二種類の濾過原液を収容した容器２ａと２ｂおよび洗浄液を収容した容器２ｚを備えた例を示している。
【００１５】
原液流路５は、原液収容部３に収容された容器２内の濾過原液が送液手段６により濾過材４へと送液される流路であり、濾過原液が収容された容器２と濾過材４を結んでいる。濾過原液が収容された容器のうち、どの容器から濾過原液を送液するかを選択可能な選択手段１２を設けてもよく、かかる選択手段１２としては、例えば電磁弁、移動式アーム等が挙げられ、図１には、選択手段１２として電磁弁を用いた態様が、図２には、選択手段１２として移動式アームを用いた態様が、それぞれ示されている。
【００１６】
濾液流路９は、濾過材４で濾過されて得られる濾液が濾液収容部８に備えられた容器７に流れる流路であり、濾過材４と濾液収容部８の容器７とを結んでいる。濾過原液に応じて、どの容器に濾液を収容するかを選択可能な選択手段１３を設けてもよく、かかる選択手段１３としては、例えば電磁弁、移動式アーム等が挙げられ、図１には、選択手段１３として電磁弁を用いた態様が、図２には、選択手段１３として移動式アームを用いた態様が、それぞれ示されている。
【００１７】
濾過材４としては、濾過原液を濾過可能で、送液手段６により生じる圧力に対応可能なものであればよく、その材質、孔径等は特に制限されず、濾過原液の液性や目的等に応じて、適宜選択すればよい。かかる濾過材４の形状は特に制限されないが、後述する濾過材交換手段１１により濾過材４の交換が容易な、テープ状の濾過材が好ましい。
【００１８】
濾過材４は、接続部材１４により、原液流路５と濾液流路９とに挟持されるよう接続されている。かかる接続部材１４は、通常の濾過時には原液流路５と濾過材４と濾液流路９とが密着し、後述する濾過材交換時には濾過材４が交換可能で、且つ、濾過材４上面に滞留した濾過原液の漏れがない程度の空間を原液流路５と濾液流路９との間に保つようになっている。かかる接続部材１４としては、例えば空気圧によりシリンダーを前後もしくは上下させ、原液流路５と濾液流路９との間に濾過材４を挟持する接続部材等が挙げられる。
【００１９】
送液手段６としては、濾過原液を原液収容部３の容器２内から吸い上げて濾過材４へ送液可能なものであれば特に制限されず、例えば定流量プランジャーポンプ、ダイヤフラムポンプ等の流量が設定可能な送液ポンプ、例えば分注器等が挙げられる。かかる送液手段６の設置位置は、原液流路５の途中であって、後述する圧力センサ１０の設置位置の上流側、すなわち圧力センサ１０の設置位置と原液収容部３との間に設けられている。かかる送液手段６を用いることにより、濾過材４の上流側の面には濾過原液を送液するのに要する圧力がかかり、濾過原液は加圧濾過されることになる。
【００２０】
圧力センサ１０は、濾過材４の上流側の圧力、すなわち原液流路５内の圧力を検知可能なものであればよい。かかる圧力センサ１０は、原液流路５の途中であって、送液手段６と濾過材４の間の任意の位置に設けられる。かかる位置に圧力センサ１０が設置されることにより、濾過材４の上流側、すなわち送液手段６と濾過材４との間の原液流路５内の圧力を測定することができる。
【００２１】
濾過材交換手段１１は、濾過材４を交換可能なものであればよく、濾過材４の形状に応じて適宜決めればよい。例えばテープ状の濾過材であれば、リール等のテープ状の濾過材を巻取り可能なものが挙げられる。濾過材４が目詰まりすると、濾過材４の上流側、すなわち原液流路５内の圧力が増大するため、圧力センサ１０の検知した値が、あらかじめ設定した値以上になると、濾過材交換手段１１が起動し、濾過材４を交換するようになっている。
【００２２】
濾液収容部８には、濾液を収容する一つもしくは二つ以上の容器７が備えられており、かかる容器の数は制限されず、原液収容部３に収容された容器の数や濾過原液の種類等に応じて適宜設定される。かかる容器７としては、濾液に対して安定な材質で形成された、濾液を収容可能な容器であれば特に制限されない。また、かかる容器７は、栓付き容器であってもよいし、栓無し容器であってもよい。異なる種類の濾過原液を濾過する場合には、先に述べたように、濾過原液同士のコンタミネーション等を防ぐための、原液流路５や濾液流路９等の洗浄液による洗浄、もしくは濾過原液による共洗いが行われるため、かかる洗浄液による洗浄もしくは濾過原液による共洗いで生じる洗浄廃液を収容する容器を備えておいてもよい。図１に示した自動濾過装置では、濾液収容部８には、異なる二種類の濾液を収容するための容器８ａと８ｂおよび洗浄廃液を収容するための容器８ｚを備えている。
【００２３】
本発明の自動濾過装置には、所定量の濾過原液が送液されたこともしくは所定量の濾過原液の濾過が終了したことを検知する検知手段が設けられていてもよい。例えば濾過原液の全量が送液され、送液手段６が稼動したままの状態であれば、送液手段６が空運転になり、故障等の原因になりやすいが、かかる検知手段を設けることにより、所定量の濾過原液が送液されたこともしくは所定量の濾過原液の濾過が終了したことが検知でき、しかも、検知後、必要に応じて原液流路５等の洗浄を行った後、前記濾過材交換手段１１により、濾過材を交換し、濾過原液が収容された新たな容器から濾過原液の送液を開始することができ、送液手段６の故障の発生等を低減するとともに、より効率的に濾過操作を行うことができる。かかる検知手段としては、所定量の濾過原液が送液されたこともしくは所定量の濾過原液の濾過が終了したことを検知できるものであれば特に制限されない。例えば濾過原液が収容された容器の重量を常時もしくは間欠的に測定し、その重量変化により、所定量の濾過原液が送液されたか否かを検知する重量センサが挙げられる。また、例えば濾過原液の全量が送液されたことや所定量の濾過原液の濾過が終了したことを検知したい場合には、送液手段６が起動したままの状態であれば、原液流路５内に空気が送られるため、原液流路５もしくは濾液流路９内の任意の場所に、濾過原液と空気との違いを検知可能な液面センサを設けてもよい。かかる液面センサとしては、例えば屈折率を利用したもの等適宜選択される。設置が容易という面で、液面センサが好ましい。図１に示した実施態様では、原液流路５の途中に、液面センサ１５が設けられている。
【００２４】
図２は、本発明の自動濾過装置の別の実施態様を模式的に示した図である。図２に示した自動濾過装置では、原液収容部３に、磁気攪拌装置１６が設けられ、さらに、容器２内に磁気回転子１７が入っている。かかる自動濾過装置では、試料と所定量の抽出溶媒とを容器２内に加え、所定時間攪拌、静置させることにより、原液収容部３上で、濾過対象の濾過原液を調製することもできる。
【００２５】
図２に示した自動濾過装置では、送液手段６として分注器を用いている。分注器は、その設定容量とプランジャーの往復回数で濾過すべき濾過原液の量が決定可能であり、例えば濾過原液中に含まれる揮発性有機化合物の分析のための分析試料を調製する場合等の濾過すべき濾過原液の量がさほど多くない場合には、送液手段６として分注器を用いることが簡便で好ましい。
【００２６】
図２に示した実施態様では、濾液収容部８の容器７が、栓付き容器であり、前記栓１８には、図３に示すように、濾液流路９の前記容器７側の末端が挿通可能な切込み１９が設けられている。かかる栓付き容器を用いることにより、前記切込み１９に、濾液流路の末端が挿通され、前記容器７内に濾液が注入されると、前記容器７内の気体が前記切込み１９から容器７外へ排出されるため、濾液と外気とを接触させることなく、容器７内に濾液を溜めることができる。例えば予め栓付き容器内を窒素ガス等の不活性ガスで置換しておけば、濾液を空気と接触させることなく、容器７内に溜めることができる。なお、このような栓付き容器を用いる場合には、濾液流路９の末端は、例えば中空針状等の前記切込み１９に挿通しやすい形状であることが実用的で好ましい。切込み１９の形状としては、濾液流路９の前記容器７側の末端が挿通可能であれば特に制限されず、例えば図３に示すような十字形等が挙げられる。
【００２７】
さらに、図２に示した実施態様では、前記切込み１９から濾液が溢れ出たときに、溢れ出た濾液を吸引除去する吸引除去手段２０を備えており、容器７内一杯に濾液を外気に触れさせること無く、溜めることができるとともに、溢れ出た濾液で濾液収容部８や容器７等を汚すことを防ぐことができる。図２に示した実施態様は、例えば濾過原液中に含まれる揮発性有機化合物の分析のための分析試料の調製に用いる装置であって、濾液が注入された容器７をそのまま分析装置にセットする場合の自動濾過装置として、好適である。
【００２８】
かかる吸引除去手段２０は、例えば吸引ポンプ等が挙げられ、その吸引口が、前記切込み１９近傍に来るよう設置されている。かかる吸引除去手段２０は、常時稼動していてもよいし、例えば前記切込み１９に、濾液流路９の末端が挿通されると稼動するようにしてもよい。また、前記切込み１９近傍をカメラ等で観察しておき、前記切込み１９から濾液が溢れ出したことを前記観察手段により検知すれば、吸引除去手段２０を稼動するようにしてもよい。また、前記切込み１９近傍に、センサを設け、前記センサに溢れ出た濾液が触れれば、吸引除去手段２０を稼動するようにしてもよい。
【００２９】
続いて、図１に示した自動濾過装置１の動作について説明する。まず、選択手段１２により、濾過すべき濾過原液が収容された容器２ａが選択される。一方で、選択手段１３により、濾液を収容する容器７ａが選択される。送液手段６が起動して、容器２ａ内の濾過原液を吸上げ、原液流路５を通じて濾過材４へ、設定された流量で送液される。送液された濾過原液は、濾過材４により濾過され、濾液が、濾液流路９を通って濾液収容部８の容器７ａに収容される。濾過材４に目詰まりが生じずに、濾過原液が濾過されている間は、圧力センサ１０は、送液手段６の送液圧力に応じた値を示しているが、圧力センサ１０の検知した値が、あらかじめ設定された所定値以上になると、濾過材４が目詰まりしたと判断し、濾過材交換手段１１が起動し、濾過材４が交換可能で、且つ、濾過材４の上流側の面に滞留した濾過原液の漏れがない程度の空間を原液流路５と濾液流路９との間に保つよう接続部材１４が調整され、濾過材４の交換が行われる。例えば濾過材４がテープ状の濾過材である場合には、設定された所定長さ分の濾過材が濾過材交換手段１１により巻き取られ、濾過材４の交換が行われる。濾過材４を交換する際には、通常送液手段６が一時停止させられる。濾過材４の交換が終了すると、送液手段６が再度起動され、濾過原液の送液が再開され、濾過が再開する。容器２ａ内の濾過原液が全量送液され、液面センサ１５により、濾過終了が検知されると、必要に応じて原液流路５等の洗浄が行われる。洗浄は、選択手段１２および選択手段１３により、洗浄液が収容された容器２ｚおよびその洗浄廃液を収容する容器７ｚが選択され、行われる。なお、洗浄液ではなく、その次に濾過する濾過原液で共洗いする場合には、選択手段１２により、濾過原液が収容された容器２ｂが、選択手段１３により、洗浄廃液を収容する容器７ｚがそれぞれ選択され、共洗いが開始される。洗浄もしくは共洗いが終了すると、次に濾過する濾過原液が収容された容器２ｂとその濾液を収容する容器７ｂが選択手段１２および選択手段１３により、それぞれ選択され、濾過材交換手段１１により濾過材４が交換されて、前記と同様に濾過が開始される。
【００３０】
続いて、図２に示した自動濾過装置１’の動作について説明する。容器２ａおよび２ｂには、試料と所定量の抽出溶媒とが加えられ、所定時間攪拌、静置させられ、濾過原液が調製される。濾過原液が調製されると、選択手段２２により、濾過すべき濾過原液が収容された容器２ａが選択されるとともに、原液流路５の先端が下方へ移動し、前記先端が容器２ａ内へ挿通される。この場合、容器２ａは、図２に示すように、前記先端が挿通可能な栓付き容器であってもよいし、図１のような栓無し容器であってもよい。また、容器２ａが栓付き容器の場合、前記栓には切込みを設けてもよいし、設けなくてもよい。一方で、選択手段２３により、濾液を収容する容器７ａが選択され、濾液流路９の前記容器７ａ側の末端が下方へ移動し、前記末端が容器７ａの栓の切込み１９に挿通される。そして、吸引除去手段２０が起動される。続いて、切替えバルブ２１が、送液手段６と容器２ａとが原液流路５で結ばれるよう切り替わり、送液手段６が起動して、容器２ａ内の濾過原液が吸上げられ、原液流路５内に所定量の濾過原液が一時溜められる。切替えバルブ２１が切替えられ、送液手段６と濾過材４とが結ばれ、原液流路５内に溜められた濾過原液が送液手段６により、濾過材４へ押出され、前記図１に示した自動濾過装置１と同様の動作により濾過が行われる。容器７ａ内に濾液が溜められ、切込み１９から溢れた濾液は吸引除去手段２０により吸引除去される。
【００３１】
かかる一連の動作は通常パーソナルコンピュータ等の制御装置（図示しない）により制御される。
【図面の簡単な説明】
【００３２】
【図１】本発明の自動濾過装置の一実施態様の模式図である。
【図２】本発明の自動濾過装置の別の実施態様の模式図である。
【図３】図２に示した自動濾過装置の濾液を収容する容器の拡大図である。
【符号の説明】
【００３３】
１・・自動濾過装置、１’・・自動濾過装置、２・・容器、２ａ・・濾過原液が収容された容器、２ｂ・・別の濾過原液が収容された容器、２ｚ・・洗浄液が収容された容器、３・・原液収容部、４・・濾過材、５・・原液流路、６・・送液手段、７・・容器、７ａ・・容器２ａ内の濾過原液を濾過して得られた濾液を収容する容器、７ｂ・・容器２ｂ内の濾過原液を濾過して得られた濾液を収容する容器、７ｚ・・洗浄廃液を収容する容器、８・・濾液収容部、９・・濾液流路、１０・・圧力センサ、１１・・濾過材交換手段、１２・・選択手段、１３・・選択手段、１４・・接続部材、１５・・液面センサ、１６・・磁気攪拌装置、１７・・磁気回転子、１８・・栓、１９・・切込み、２０・・吸引除去手段、２１・・切替えバルブ、２２・・選択手段、２３・・選択手段
【図１】
2005292127.tif 000003
【図２】
2005292127.tif 000004
【図３】
2005292127.tif 000005